【手続補正書】
【提出日】平成17年12月8日(2005.12.8)
【手続補正１】
【補正対象書類名】明細書
【補正対象項目名】特許請求の範囲
【補正方法】変更
【補正の内容】
【特許請求の範囲】
【請求項１】 無線インタフェースを介して複数の移動無線ユニットと通信する移動無線通信ネットワークであって、
無線インタフェースを介して移動無線ユニットと通信するための複数の無線基地局であって、各無線基地局が、複数の機能モジュールと機能モジュールのいくつかが無線トランシーバー機能を果たす前記複数の機能モジュールのそれぞれに関連する非同期転送モード（ＡＴＭ）交換機とを含む無線基地局と、
前記無線基地局に接続され、複数の機能モジュールと前記複数の機能モジュールのそれぞれに関連する非同期転送モード（ＡＴＭ）交換機とを含む前記無線基地局の様々な基地局への呼及び様々な基地局からの呼をルーティングする無線交換局とを含み、
前記機能モジュール間の通信が前記ＡＴＭ交換機を使用して実行されることを特徴とする移動無線通信ネットワーク。
【請求項２】  前記機能モジュールのそれぞれが、ＡＴＭセル・バッファ及びその他のＡＴＭ制御タスクを実行するデータ処理回路を含み、前記機能モジュールの１つが機能モジュールの動作を調整するためのマスタ・データプロセッサを含むことを特徴とする請求項１に記載の移動無線通信ネットワーク。
【請求項３】
前記機能モジュール間の通信がＡＴＭ適応層（ＡＡＬ）プロトコルによりフォーマットされることを特徴とする請求項２に記載の移動無線通信ネットワーク。
【請求項４】  ユーザデータは、無線交換局と無線基地局との間をＡＴＭ適応層２（ＡＡＬ２）を使用して転送されることを特徴とする請求項１に記載の移動無線通信ネットワーク。
【請求項５】  前記移動無線ユニット及び無線基地局が広帯域の符号分割多重アクセス（ＣＤＭＡ）技法を使用して通信することを特徴とする請求項４に記載の移動無線通信ネットワーク。
【請求項６】  各無線基地局内の前記機能モジュールのうちの１つ又は複数が、基地局を縦続接続するために他の基地局内に配置された他のＡＴＭ交換機と通信する交換モジュールを含むことを特徴とする請求項１に記載の移動無線通信ネットワーク。
【請求項７】  無線交換機内の前記機能モジュールのそれぞれがデータプロセッサを含み、該データプロセッサのうちの１つが機能モジュールの動作を調整するための主データプロセッサであることを特徴とする請求項１に記載の移動無線通信ネットワーク。
【請求項８】  基地局のうちの複数と無線交換局とに接続された基地局制御装置を更に含み、
前記基地局制御装置が、
複数の機能モジュールと、 
前記複数の機能モジュールのそれぞれに接続された非同期転送モード（ＡＴＭ）交換機を含み、 
前記機能モジュール間の通信がＡＴＭ交換機を使用して実行されることを特徴とする請求項１に記載の移動無線通信ネットワーク。
【請求項９】  ＡＴＭ交換機に関連する既存の機能モジュールを変更する必要なしに、１つの無線局の容量を増加するため、追加の機能モジュールがＡＴＭ交換機にモジュール方式で追加されることを特徴とする請求項１に記載の移動無線通信ネットワーク。
【請求項１０】  移動無線通信ネットワークで使用する無線基地局であって、
移動無線ユニットとの無線通信を実行するための複数の無線送信機と、
いくつかが前記無線送信機を制御するために使用される複数の制御装置と、
前記制御装置のそれぞれに接続された非同期転送モード（ＡＴＭ）交換機コアとを含み、 
前記制御装置が、前記ＡＴＭ交換機コアを使用して無線送信機を制御するための信号を含む制御信号をやりとりすることを特徴とする無線基地局。
【請求項１１】  前記制御装置のそれぞれが、ＡＴＭバッファ及びその他のＡＴＭ制御タスクならびにアプリケーション関連タスクを実行するデータ処理回路を含み、前記制御装置の１つが制御装置の動作を調整するための主データプロセッサを含むことを特徴とする請求項１０に記載の無線基地局。
【請求項１２】  前記制御装置とＡＴＭ交換機コアとの間の通信がＡＴＭ適応層（ＡＡＬ）プロトコルを使用してフォーマットされることを特徴とする請求項１１に記載の無線基地局。
【請求項１３】  移動無線ユニット及び無線基地局が広帯域の符号分割多重アクセス（ＣＤＭＡ）技法を使用して通信することを特徴とする請求項１０に記載の無線基地局。
【請求項１４】  前記制御装置のうちの１つ又は複数が、他のＡＴＭ交換機と通信するための交換端末を含むことを特徴とする請求項１０に記載の無線基地局。
【請求項１５】  他のＡＴＭ交換機が他の基地局内に位置することを特徴とする請求項１４に記載の無線基地局。
【請求項１６】  ＡＴＭ交換機に関連する既存の制御装置を変更する必要なしに、１つの無線局の容量を増加するため、追加の制御装置がＡＴＭ交換機にモジュール方式で追加されることを特徴とする請求項１０に記載の無線基地局。
【請求項１７】  移動無線通信で使用する移動通信交換ノードであって、
複数の制御モジュールを含み、各制御モジュールが、
非同期転送モード（ＡＴＭ）制御タスクを実行し、ＡＴＭプロトコルに従って基地局との移動無線通信を含むトラフィックをルーティングする交換制御部と、
対応する無線通信機能の実行を含む基地局との移動無線通信を制御する無線制御部と、 
前記制御部のそれぞれに接続された非同期転送モード（ＡＴＭ）交換機コアとを含み、 
前記交換制御部と無線制御部が、前記ＡＴＭ交換機コアを使用して、ＡＴＭ制御タスク、ＡＴＭトラフィックのルーティング、及び無線通信機能を実行することを特徴とする移動通信交換ノード。
【請求項１８】  前記対応する無線通信機能はダイバーシティ・ハンドオーバーであることを特徴とする請求項１７に記載の移動通信交換ノード
【請求項１９】  前記対応する無線通信機能はスピーチの符号化又は復号であることを特徴とする請求項１７に記載の移動通信交換ノード
【請求項２０】  前記制御モジュールのうちの１つが制御モジュールの動作を調整するための主データプロセッサを含むことを特徴とする請求項１７に記載の移動通信交換ノード。
【請求項２１】  移動無線ユニット及び無線基地局が広帯域の符号分割多重アクセス（ＣＤＭＡ）技法を使用して通信することを特徴とする請求項１７に記載の移動通信交換ノード。
【請求項２２】  前記制御モジュールのうちの１つ又は複数が、他のＡＴＭ交換機コアと通信するための交換制御モジュールを含むことを特徴とする請求項１７に記載の移動通信交換ノード。
【請求項２３】  他のＡＴＭ交換機コアが他の移動通信交換ノード内に位置することを特徴とする請求項２２に記載の移動通信交換ノード。
【請求項２４】  前記ＡＴＭ交換機コアに接続された既存の制御モジュールを変更する必要なしに、１つの無線局の容量を増加するため、追加の制御モジュールがＡＴＭ交換機にモジュール方式で追加されることを特徴とする請求項１７に記載の移動通信交換ノード。
【請求項２５】  複数の移動無線ユニットと、無線ベースのチャネルにより移動無線ユニットと通信するための複数の無線基地局ノードと、該無線基地局ノードに接続され、無線基地局ノードの様々な無線基地局ノードへの呼及び様々な無線基地局ノードからの呼をルーティングする無線交換ノードとを含む移動無線通信ネットワークにおける方法であって、 
非同期転送モード（ＡＴＭ）交換機に関連する複数の機能モジュールによって無線ノードの１つを構成し、
ＡＴＭ交換機を使用して機能モジュール間の通信を実行し、 
ＡＴＭ交換機に関連する既存の機能モジュールを変更する必要なしに、１つの無線ノードの容量を増加するため、ＡＴＭ交換機に他の機能モジュールをモジュール方式で追加することを特徴とする方法。
【請求項２６】  １つのノードが無線基地局ノードのうちの１つであり、モジュールのうちの１つが交換モジュールであり、 
前記方法は、更に、新しい無線基地局ノードを交換モジュールに接続することにより、その新しい無線基地局ノードを移動無線通信ネットワークに追加することを特徴とする請求項２５に記載の方法。
【請求項２７】  前記機能モジュールのうちの１つが、ＡＴＭ交換機の構成と機能モジュール間の通信を制御するための主制御装置を含むことを特徴とする請求項２６に記載の方法。
【請求項２８】  前記主制御装置が新しい基地局ノードを構成し制御することを特徴とする請求項２７に記載の方法。
【請求項２９】  １つのノードが無線交換ノードであり、モジュールのうちの１つが交換モジュールであり、 
前記方法は、更に、新しい無線交換ノードを拡張モジュールに接続することにより、その新しい無線交換ノードを移動無線通信ネットワークに追加することを特徴とする請求項２５に記載の方法。
【請求項３０】  前記機能モジュールのうちの１つが、ＡＴＭ交換機の構成と機能モジュール間の通信を制御するための主制御装置を含むことを特徴とする請求項２９に記載の方法。
【請求項３１】  前記主制御装置が新しい無線交換ノードを構成し制御することを特徴とする請求項３０に記載の方法。
【請求項３２】  非同期転送モード（ＡＴＭ）セル交換プラットフォーム上に構築された移動無線通信ネットワークのアーキテクチャであって、
無線インタフェースを介して移動無線ユニットと通信するための複数の無線基地局と、 
前記無線基地局の様々な無線基地局への呼及び様々な無線基地局からの呼をルーティングするために前記無線基地局に接続された無線交換制御装置とを含み、
前記無線交換制御装置と、前記無線基地局のうちの１つ又は複数とが、
ＡＴＭ交換機コアと、 
対応するＡＴＭ交換機コアのポートに関連し、専用タスクを実行する複数のボードプロセッサとを含み、 
前記移動無線ユニット用のセル又は移動無線ユニットからのセルが、前記無線基地局のうちの１つのＡＴＭ交換機コア及び無線交換制御装置のＡＴＭ交換機コアにより非同期でルーティングされることを特徴とする移動無線通信ネットワーク。
【請求項３３】  前記ボードプロセッサのそれぞれがＡＴＭバッファ及びその他のＡＴＭ制御タスクを実行し、いくつかのボードプロセッサは無線関連制御タスクを実行することを特徴とする請求項３２に記載の移動無線通信ネットワーク。
【請求項３４】  前記ボードプロセッサのうちの１つが、ボードプロセッサの動作を調整するための主データプロセッサを含むことを特徴とする請求項３３に記載の移動無線通信ネットワーク。
【請求項３５】  前記ボードプロセッサのうちの１つ又は複数が、他のＡＴＭ交換機コアとの通信を提供することを特徴とする請求項３２に記載の移動無線通信ネットワーク。